(57)【特許請求の範囲】
【請求項１】
ユーザプレーンゲートウェイ更新方法であって、
制御プレーンゲートウェイにより、移動性管理エンティティへ、第１パケットデータネットワークＰＤＮ接続が確立される過程で、第１メッセージを送信するステップであって、前記第１ＰＤＮ接続は、ユーザ機器ＵＥと第１ユーザプレーンゲートウェイとの間のＰＤＮ接続であり、前記第１メッセージは前記第１ユーザプレーンゲートウェイに対応する追跡領域ＴＡ識別子リストを伝達する、ステップと、
前記制御プレーンゲートウェイにより、前記移動性管理エンティティから通知メッセージを受信するステップであって、前記通知メッセージは、前記ＵＥの位置するＴＡのＴＡ識別子が前記ＴＡ識別子リストの中に無いことを、前記制御プレーンゲートウェイに通知するために使用される、ステップと、
前記制御プレーンゲートウェイにより、前記移動性管理エンティティへ、ＰＤＮ接続を再確立する要求メッセージを送信するステップであって、前記要求メッセージは、第２ＰＤＮ接続の確立を指示するために使用されるパラメータを含む、ステップと、
前記第２パケットデータネットワーク接続が確立される過程で、前記制御プレーンゲートウェイにより、第２ユーザプレーンゲートウェイを選択するステップと、
前記制御プレーンゲートウェイにより、前記第２ユーザプレーンゲートウェイを用いて前記第２ＰＤＮ接続を確立するステップであって、前記第２ＰＤＮ接続は、前記ＵＥと前記第２ユーザプレーンゲートウェイとの間のＰＤＮ接続である、ステップと、
を含む方法。
【請求項２】
前記要求メッセージは、前記第１ＰＤＮ接続を削除するよう前記移動性管理エンティティに指示するために使用される、請求項１に記載の方法。
【請求項３】
前記第２ＰＤＮ接続の確立を指示するために使用される前記パラメータは、「Ｒｅａｃｔｉｖａｔｉｏｎ  Ｒｅｑｕｅｓｔｅｄ」に設定される原因である、請求項１又は２に記載の方法。
【請求項４】
ユーザプレーンゲートウェイ更新方法であって、
移動性管理エンティティにより、第１パケットデータネットワークＰＤＮ接続が確立される処理において、制御プレーンゲートウェイから第１メッセージを受信するステップであって、前記第１ＰＤＮ接続は、ユーザ機器ＵＥと第１ユーザプレーンゲートウェイとの間のＰＤＮ接続であり、前記第１メッセージは前記第１ユーザプレーンゲートウェイに対応する追跡領域ＴＡ識別子リストを伝達する、ステップと、
前記移動性管理エンティティにより、前記ＵＥの位置するＴＡのＴＡ識別子が前記ＴＡ識別子リストの中に無いことを決定するステップと、
前記移動性管理エンティティにより、前記制御プレーンゲートウェイへ、通知メッセージを送信するステップであって、前記通知メッセージは、前記制御プレーンゲートウェイに、前記ＵＥの位置するＴＡのＴＡ識別子が前記ＴＡ識別子リストの中にないことを通知するために使用される、ステップと、
前記移動性管理エンティティにより、前記ＵＥへ、ＰＤＮ接続を再確立する要求メッセージを送信するステップであって、前記要求メッセージは、第２ＰＤＮ接続を開始するよう前記ＵＥをトリガするために使用され、前記第２ＰＤＮ接続は前記ＵＥと第２ユーザプレーンゲートウェイとの間のＰＤＮ接続である、ステップと、
を含む方法。
【請求項５】
前記移動性管理エンティティにより、前記ＵＥへ、ＰＤＮ接続を再確立する要求メッセージを送信する前記ステップは、
前記移動性管理エンティティにより、前記第１ＰＤＮ接続を切断する要求メッセージを送信するステップであって、前記要求メッセージは、前記第２ＰＤＮ接続を確立するよう前記ＵＥに指示するために使用されるパラメータを伝達する、ステップ、
を含む、請求項４に記載の方法。
【請求項６】
ユーザプレーンゲートウェイ更新装置であって、
移動性管理エンティティへ、第１パケットデータネットワークＰＤＮ接続が確立される過程で、第１メッセージを送信するよう構成される送信ユニットであって、前記第１ＰＤＮ接続は、ユーザ機器ＵＥと第１ユーザプレーンゲートウェイとの間のＰＤＮ接続であり、前記第１メッセージは前記第１ユーザプレーンゲートウェイに対応する追跡領域ＴＡ識別子リストを伝達する、送信ユニットと、
前記移動性管理エンティティから通知メッセージを受信するよう構成される受信ユニットであって、前記通知メッセージは、前記ＵＥの位置するＴＡのＴＡ識別子が前記ＴＡ識別子リストの中に無いことを、制御プレーンゲートウェイに通知するために使用される、受信ユニットと、
前記移動性管理エンティティへ、ＰＤＮ接続を再確立する要求メッセージを送信するよう構成される要求ユニットであって、前記要求メッセージは、第２ＰＤＮ接続の確立を指示するために使用されるパラメータを含む、要求ユニットと、
前記第２パケットデータネットワーク接続が確立される過程で、第２ユーザプレーンゲートウェイを選択し、前記第２ユーザプレーンゲートウェイを用いて前記第２ＰＤＮ接続を確立するよう構成される確立ユニットであって、前記第２ＰＤＮ接続は前記ＵＥと前記第２ユーザプレーンゲートウェイとの間のＰＤＮ接続である、確立ユニットと、
を含む装置。
【請求項７】
前記要求メッセージは、前記第１ＰＤＮ接続の規定ベアラを削除するよう前記移動性管理エンティティに指示するために使用される、請求項６に記載の装置。
【請求項８】
前記第２ＰＤＮ接続の確立を指示するために使用される前記パラメータは、「Ｒｅａｃｔｉｖａｔｉｏｎ  Ｒｅｑｕｅｓｔｅｄ」に設定される原因である、請求項６又は７に記載の装置。
【発明の詳細な説明】
【技術分野】
【０００１】
本発明は、通信技術の分野に関し、特にユーザプレーンゲートウェイ更新方法及び装置に関する。
【背景技術】
【０００２】
システムアーキテクチャ展開（System  Architecture  Evolution、ＳＡＥ）は、ＬＴＥ無線通信標準のコアネットワークアーキテクチャのための３ＧＰＰの改良計画である。図１に、ＳＡＥアーキテクチャが示される。ＳＡＥアーキテクチャでは、ＵＥがＴＡに跨り移動する場合、ＵＥは追跡領域更新（Tracking  Area  Update、ＴＡＵ）をトリガする。ＭＭＥ又はＳ−ＧＷのいずれも変化しないとき、ＴＡＵ手順を実行する過程で、ＭＭＥとＳ−ＧＷとの間にはシグナリング相互作用が無い。ＴＡ（Tracking  Area）は、連続的にカバーされるセルにより形成される地理的領域であり、アイドル状態にあるＵＥの位置を管理するために使用される。
【０００３】
ＳＡＥアーキテクチャでは、ゲートウェイは、依然として、多数の外部シグナリングインタフェースを保持する必要がある。ゲートウェイの多数の外部シグナリングインタフェースは、大量のインタフェースシグナリングをもたらす。専用ハードウェアプラットフォームを用いるゲートウェイは、強力なシグナリング処理性能を有しないので、したがって、容易にボトルネックになる。ソフトウェア定義ネットワーク（Software  Defined  Network、ＳＤＮ）は、シグナリング処理においてゲートウェイのボトルネック問題を解決するための効果的な方法を提供する。図２に、ＳＤＮに基づくＳＡＥアーキテクチャが示される。
【０００４】
モバイルインターネットの急速な展開及びインテリジェント端末の普及に伴い、モバイルトラフィックは、爆発的成長の傾向を示す。モバイルトラフィックの増大がコアネットワークにもたらす圧力を回避するために、モバイルゲートウェイは、徐々に下方展開及び分散型展開の傾向を示す。図２に示すＳＤＮに基づくＳＡＥアーキテクチャでは、ＧＷ−Ｕは、さらに、下方へ移動され分散型の方法で展開されて、図３に示す分散型ＧＷ−Ｕ展開のアーキテクチャを実施する。
【０００５】
しかしながら、分散型ゲートウェイアーキテクチャでは、ＴＡＵ手順を実行する過程で、新しいＧＷ−Ｕを選択し及びＵＥのために新しいＰＤＮ（パケットデータネットワーク、英語名：Packet  Data  Network）接続を確立する必要があり得る。ＭＭＥはＧＷ−Ｕ展開に関する情報を取得できないので、ＭＭＥ又はＧＷ−Ｃのいずれも変化しないとき、ＧＷ−Ｕ更新は実施できない。
【発明の概要】
【０００６】
本発明の実施形態は、ＭＭＥ又はＧＷ−Ｃのいずれも変化しないときＧＷ−Ｕ更新が実施できないという従来の技術的問題を解決するために、ユーザプレーンゲートウェイ更新方法及び装置を提供する。
【０００７】
本発明の実施形態の第１の態様は、ユーザプレーンゲートウェイ更新方法であって、
制御プレーンゲートウェイＧＷ−Ｃにより、移動性管理エンティティＭＭＥへ、第１パケットデータネットワークＰＤＮ接続が確立されたことを示すために使用される第１メッセージを送信するステップであって、前記第１ＰＤＮ接続は、ユーザ機器ＵＥと第１ユーザプレーンゲートウェイＧＷ−Ｕとの間のＰＤＮ接続であり、前記第１メッセージは通知パラメータを伝達し、前記通知パラメータは、前記ＵＥの位置する追跡領域ＴＡが変化するとき前記ＧＷ−Ｃに通知するよう前記ＭＭＥに要求するために使用される、ステップと、
前記ＧＷ−Ｃにより、前記ＭＭＥにより送信された通知メッセージを受信するステップであって、前記通知メッセージは、前記ＵＥの位置する前記追跡領域ＴＡが変化することを前記ＧＷ−Ｃに通知するために使用される、ステップと、
前記ＧＷ−Ｃにより、前記通知メッセージに従い、前記ＵＥの位置する新しいＴＡが第２ＧＷ−Ｕに対応していることを決定するステップであって、前記第２ＧＷ−Ｕは前記第１ＧＷ−Ｕと異なる、ステップと、
前記ＧＷ−Ｃにより、前記ＭＭＥへ、ＰＤＮ接続を再確立する要求メッセージを送信するステップであって、前記要求メッセージは、第２ＰＤＮ接続を開始するよう前記ＵＥをトリガするよう前記ＭＭＥに要求するために使用され、前記第２ＰＤＮ接続は前記ＵＥと前記第２ＧＷ−Ｕとの間のＰＤＮ接続である、ステップと、
前記ＧＷ−Ｃにより、前記第２ＧＷ−Ｕを用いて前記第２ＰＤＮ接続を確立するステップと、
を含む方法を提供する。
【０００８】
第１の態様を参照して、第１の態様の第１の可能な実装では、前記ＧＷ−Ｃにより、前記ＭＭＥへ、ＰＤＮ接続を再確立する要求メッセージを送信する前記ステップは、
前記ＧＷ−Ｃにより、前記ＭＭＥへ、ＰＤＮ接続を再確立する前記要求メッセージを送信するステップであって、前記要求メッセージは、前記第１ＰＤＮ接続を削除するよう前記ＭＭＥに指示するために使用され、前記要求メッセージは、前記第２ＰＤＮ接続を確立するよう前記ＵＥに指示するために使用されるパラメータを伝達する、ステップ、を含む。
【０００９】
本発明の実施形態の第２の態様は、ユーザプレーンゲートウェイ更新方法であって、
制御プレーンゲートウェイＧＷ−Ｃにより、移動性管理エンティティＭＭＥへ、第１パケットデータネットワークＰＤＮ接続が確立されたことを示すために使用される第１メッセージを送信するステップであって、前記第１ＰＤＮ接続は、ユーザ機器ＵＥと第１ユーザプレーンゲートウェイＧＷ−Ｕとの間のＰＤＮ接続であり、前記第１メッセージは前記第１ＧＷ−Ｕに対応するＴＡ識別子リストを伝達する、ステップと、
前記ＧＷ−Ｃにより、前記ＭＭＥが前記第１メッセージに従い送信する通知メッセージを受信するステップであって、前記通知メッセージは、前記ＵＥの位置する追跡領域ＴＡのＴＡ識別子が前記ＴＡ識別子リストの中に無いことを、前記ＧＷ−Ｃに通知するために使用される、ステップと、
前記ＧＷ−Ｃにより、前記ＭＭＥへ、ＰＤＮ接続を再確立する要求メッセージを送信するステップであって、前記要求メッセージは、第２ＰＤＮ接続を開始するよう前記ＵＥをトリガすることを前記ＭＭＥに要求するために使用され、前記第２ＰＤＮ接続は前記ＵＥと第２ＧＷ−Ｕとの間のＰＤＮ接続である、ステップと、
前記ＧＷ−Ｃにより、前記第２ＧＷ−Ｕを用いて前記第２ＰＤＮ接続を確立するステップと、
を含む方法を提供する。
【００１０】
第２の態様を参照して、第２の態様の第１の可能な実装では、前記ＧＷ−Ｃにより、前記ＭＭＥへ、ＰＤＮ接続を再確立する要求メッセージを送信する前記ステップは、
前記ＧＷ−Ｃにより、前記ＭＭＥへ、ＰＤＮ接続を再確立する前記要求メッセージを送信するステップであって、前記要求メッセージは、前記第１ＰＤＮ接続を削除するよう前記ＭＭＥに指示するために使用され、前記要求メッセージは、前記第２ＰＤＮ接続を確立するよう前記ＵＥに指示するために使用されるパラメータを伝達する、ステップ、を含む。
【００１１】
本発明の実施形態の第３の態様は、ユーザプレーンゲートウェイ更新方法であって、
移動性管理エンティティＭＭＥにより、第１パケットデータネットワークＰＤＮ接続が確立されたことを示すために使用され及び制御プレーンゲートウェイＧＷ−Ｃにより送信される第１メッセージを受信するステップであって、前記第１ＰＤＮ接続は、ユーザ機器ＵＥと第１ユーザプレーンゲートウェイＧＷ−Ｕとの間のＰＤＮ接続であり、前記第１メッセージは前記第１ＧＷ−Ｕに対応するＴＡ識別子リストを伝達する、ステップと、
前記ＭＭＥにより、前記ＵＥの位置する追跡領域ＴＡのＴＡ識別子が前記ＴＡ識別子リストの中に無いことを決定するステップと、
前記ＭＭＥにより、前記ＵＥへ、ＰＤＮ接続を再確立する要求メッセージを送信するステップであって、前記要求メッセージは、第２ＰＤＮ接続を開始するよう前記ＵＥをトリガするために使用され、前記第２ＰＤＮ接続は前記ＵＥと第２ＧＷ−Ｕとの間のＰＤＮ接続である、ステップと、
を含む方法を提供する。
【００１２】
第３の態様を参照して、第３の態様の第１の可能な実装では、前記ＭＭＥにより、前記ＵＥへ、ＰＤＮ接続を再確立する要求メッセージを送信する前記ステップは、
前記ＭＭＥにより、前記第１ＰＤＮ接続を切断する要求メッセージを送信するステップであって、前記要求メッセージは、前記第２ＰＤＮ接続を確立するよう前記ＵＥに指示するために使用されるパラメータを伝達する、ステップ、を含む。
【００１３】
本発明の実施形態の第４の態様は、ユーザプレーンゲートウェイ更新方法であって、
ユーザ機器ＵＥの位置する追跡領域ＴＡが変化した後に、移動性管理エンティティＭＭＥにより、前記ＵＥの位置する元のＴＡが第１ＴＡ識別子に対応していることを決定し、前記ＵＥの位置する新しいＴＡが第２ＴＡ識別子に対応していることを決定するステップであって、第１ＰＤＮ接続は前記ＵＥと第１ＧＷ−Ｕとの間に確立される、ステップと、
前記ＭＭＥにより、各ＧＷ−Ｕと追跡領域ＴＡ識別子リストとの間の予め格納された対応に従い、前記第１ＴＡ識別子のあるＴＡリストが第１ＧＷ−Ｕ識別子に対応していることを決定し、前記第２ＴＡ識別子のあるＴＡリストが第２ＧＷ−Ｕ識別子に対応していることを決定するステップと、
前記第１ＧＷ−Ｕ識別子に対応する前記第１ＧＷ−Ｕが前記第２ＧＷ−Ｕ識別子に対応する前記第２ＧＷ−Ｕと異なるとき、前記ＭＭＥにより、前記ＵＥへ、ＰＤＮ接続を再確立する要求メッセージを送信するステップであって、前記要求メッセージは、第２ＰＤＮ接続を開始するよう前記ＵＥをトリガするために使用され、前記第２ＰＤＮ接続は前記ＵＥを前記第２ＧＷ−Ｕとの間のＰＤＮ接続である、ステップと、
を含む方法を提供する。
【００１４】
第４の態様を参照して、第４の態様の第１の可能な実装では、前記ＭＭＥにより、前記ＵＥへ、ＰＤＮ接続を再確立する要求メッセージを送信する前記ステップは、
前記ＭＭＥにより、前記ＵＥへ、前記第１ＰＤＮ接続を切断する要求メッセージを送信するステップであって、前記要求メッセージは、前記第２ＰＤＮ接続を確立するよう前記ＵＥに指示するために使用されるパラメータを伝達する、ステップ、を含む。
【００１５】
本発明の実施形態の第５の態様は、ユーザプレーンゲートウェイ更新装置であって、
移動性管理エンティティＭＭＥへ、第１パケットデータネットワークＰＤＮ接続が確立されたことを示すために使用される第１メッセージを送信するよう構成される送信ユニットであって、前記第１ＰＤＮ接続は、ユーザ機器ＵＥと第１ユーザプレーンゲートウェイＧＷ−Ｕとの間のＰＤＮ接続であり、前記第１メッセージは通知パラメータを伝達し、前記通知パラメータは、前記ＵＥの位置する追跡領域ＴＡが変化するとき前記ＧＷ−Ｃに通知するよう前記ＭＭＥに要求するために使用される、送信ユニットと、
前記ＭＭＥにより送信された通知メッセージを受信するよう構成される受信ユニットであって、前記通知メッセージは、前記ＵＥの位置する前記追跡領域ＴＡが変化することを前記ＧＷ−Ｃに通知するために使用される、受信ユニットと、
前記通知メッセージに従い、前記ＵＥの位置する新しいＴＡが第２ＧＷ−Ｕに対応していることを決定するよう構成される決定ユニットであって、前記第２ＧＷ−Ｕは前記第１ＧＷ−Ｕと異なる、決定ユニットと、
前記ＭＭＥへ、ＰＤＮ接続を再確立する要求メッセージを送信する要求ユニットであって、前記要求メッセージは、第２ＰＤＮ接続を開始するよう前記ＵＥをトリガするよう前記ＭＭＥに要求するために使用され、前記第２ＰＤＮ接続は前記ＵＥと前記第２ＧＷ−Ｕとの間のＰＤＮ接続である、要求ユニットと、
前記第２ＧＷ−Ｕを用いて前記第２ＰＤＮ接続を確立するよう構成される確立ユニットと、
を含む装置を提供する。
【００１６】
第５の態様を参照して、第５の態様の第１の可能な実装では、前記要求ユニットは、
前記ＭＭＥへ、ＰＤＮ接続を再確立する前記要求メッセージを送信するよう構成され、前記要求メッセージは、前記第１ＰＤＮ接続を削除するよう前記ＭＭＥに指示するために使用され、前記要求メッセージは、前記第２ＰＤＮ接続を確立するよう前記ＵＥに指示するために使用されるパラメータを伝達する。
【００１７】
本発明の実施形態の第６の態様は、ユーザプレーンゲートウェイ更新装置であって、
移動性管理エンティティＭＭＥへ、第１パケットデータネットワークＰＤＮ接続が確立されたことを示すために使用される第１メッセージを送信するよう構成される送信ユニットであって、前記第１ＰＤＮ接続は、ユーザ機器ＵＥと第１ユーザプレーンゲートウェイＧＷ−Ｕとの間のＰＤＮ接続であり、前記第１メッセージは前記第１ＧＷ−Ｕに対応するＴＡ識別子リストを伝達する、送信ユニットと、
前記ＭＭＥが前記第１メッセージに従い送信する通知メッセージを受信するよう構成される受信ユニットであって、前記通知メッセージは、前記ＵＥの位置する追跡領域ＴＡのＴＡ識別子が前記ＴＡ識別子リストの中に無いことを、前記ＧＷ−Ｃに通知するために使用される、受信ユニットと、
前記ＭＭＥへ、ＰＤＮ接続を再確立する要求メッセージを送信するよう構成される要求ユニットであって、前記要求メッセージは、第２ＰＤＮ接続を開始するよう前記ＵＥをトリガすることを前記ＭＭＥに要求するために使用され、前記第２ＰＤＮ接続は前記ＵＥと第２ＧＷ−Ｕとの間のＰＤＮ接続である、要求ユニットと、
前記第２ＧＷ−Ｕを用いて前記第２ＰＤＮ接続を確立するよう構成される確立ユニットと、
を含む装置を提供する。
【００１８】
第６の態様を参照して、第６の態様の第１の可能な実装では、前記要求ユニットは、
前記ＭＭＥへ、ＰＤＮ接続を再確立する前記要求メッセージを送信するよう構成され、前記要求メッセージは、前記第１ＰＤＮ接続を削除するよう前記ＭＭＥに指示するために使用され、前記要求メッセージは、前記第２ＰＤＮ接続を確立するよう前記ＵＥに指示するために使用されるパラメータを伝達する。
【００１９】
本発明の実施形態の第７の態様は、ユーザプレーンゲートウェイ更新装置であって、
第１パケットデータネットワークＰＤＮ接続が確立されたことを示すために使用され及び制御プレーンゲートウェイＧＷ−Ｃにより送信される第１メッセージを受信するよう構成される受信ユニットであって、前記第１ＰＤＮ接続は、ユーザ機器ＵＥと第１ユーザプレーンゲートウェイＧＷ−Ｕとの間のＰＤＮ接続であり、前記第１メッセージは前記第１ＧＷ−Ｕに対応するＴＡ識別子リストを伝達する、受信ユニットと、
前記ＵＥの位置する追跡領域ＴＡのＴＡ識別子が前記ＴＡ識別子リストの中に無いことを決定するよう構成される決定ユニットと、
前記ＵＥへ、ＰＤＮ接続を再確立する要求メッセージを送信するよう構成される要求ユニットであって、前記要求メッセージは、第２ＰＤＮ接続を開始するよう前記ＵＥをトリガするために使用され、前記第２ＰＤＮ接続は前記ＵＥと第２ＧＷ−Ｕとの間のＰＤＮ接続である、要求ユニットと、
を含む装置を提供する。
【００２０】
第７の態様を参照して、第７の態様の第１の可能な実装では、前記要求ユニットは、
前記第１ＰＤＮ接続を切断する要求メッセージを送信するよう構成され、前記要求メッセージは、前記第２ＰＤＮ接続を確立するよう前記ＵＥに指示するために使用されるパラメータを伝達する。
【００２１】
本発明の実施形態の第８の態様は、ユーザプレーンゲートウェイ更新装置であって、
各ＧＷ−Ｕ識別子と追跡領域ＴＡ識別子リストとの間の対応を予め格納するよう構成される記憶ユニットと、
ユーザ機器ＵＥの位置する追跡領域ＴＡが変化した後に、前記ＵＥの位置する元のＴＡが第１ＴＡ識別子に対応していることを決定し、前記ＵＥの位置する新しいＴＡが第２ＴＡ識別子に対応していることを決定するよう構成される決定ユニットであって、第１ＰＤＮ接続は前記ＵＥと第１ＧＷ−Ｕとの間に確立され、前記対応に従い、前記第１ＴＡ識別子のあるＴＡリストが第１ＧＷ−Ｕ識別子に対応していることを決定し、前記第２ＴＡ識別子のあるＴＡリストが第２ＧＷ−Ｕ識別子に対応していることを決定する決定ユニットと、
前記第１ＧＷ−Ｕ識別子に対応する前記第１ＧＷ−Ｕが前記第２ＧＷ−Ｕ識別子に対応する前記第２ＧＷ−Ｕと異なるとき、前記ＵＥへ、ＰＤＮ接続を再確立する要求メッセージを送信するよう構成される要求ユニットであって、前記要求メッセージは、第２ＰＤＮ接続を開始するよう前記ＵＥをトリガするために使用され、前記第２ＰＤＮ接続は前記ＵＥと前記第２ＧＷ−Ｕとの間のＰＤＮ接続である、要求ユニットと、
を含む装置を提供する。
【００２２】
第８の態様を参照して、第８の態様の第１の可能な実装では、前記要求ユニットは、
前記第１ＰＤＮ接続を切断する要求メッセージを前記ＵＥへ送信するよう構成され、前記要求メッセージは、前記第２ＰＤＮ接続を確立するよう前記ＵＥに指示するために使用されるパラメータを伝達する。
【００２３】
本発明の実施形態で提供される１又は複数の技術的解決策は、少なくとも以下の技術的効果又は利益を有する。本発明の実施形態では、分散型ゲートウェイアーキテクチャの場合に、ＵＥがＴＡＵを実行するとき、ＧＷ−Ｃ又はＭＭＥは、新しいＴＡに対応するＧＷ−Ｕが確立されたＰＤＮ接続におけるＧＷ−Ｕと異なることを決定し、次に、ＵＥは、ＰＤＮ接続再確立をトリガし、ＧＷ−Ｃは、ＰＤＮ接続再確立を完了するために新しいＧＷ−Ｕを選択する。これは、データ送信経路を最適化し、通信性能を保証する。
【図面の簡単な説明】
【００２４】
本発明の実施形態の技術的解決策をより明確に記載するために、実施形態を説明するのに必要な添付の図面を以下に簡単に説明する。明らかなことに、以下の説明中の添付の図面は、本発明のほんの一部の実施形態であり、これらの図面に従って当業者により創造的労力を有しないで他の図面も得られる。
【図１】従来技術におけるＳＡＥアーキテクチャの概略図である。
【図２】従来技術におけるＳＤＮに基づくＳＡＥアーキテクチャの概略図である。
【図３】従来技術における分散型ゲートウェイアーキテクチャの概略図である。
【図４】本発明の一実施形態による第１分散型ゲートウェイ更新方法のフローチャートである。
【図５】本発明の一実施形態による第１分散型ゲートウェイ更新方法の概略シグナリング相互作用図である。
【図６】本発明の一実施形態による第２分散型ゲートウェイ更新方法のフローチャートである。
【図７Ａ】本発明の一実施形態による第２分散型ゲートウェイ更新方法の概略シグナリング相互作用図である。
【図７Ｂ】本発明の一実施形態による第２分散型ゲートウェイ更新方法の概略シグナリング相互作用図である。
【図８】本発明の一実施形態による第３分散型ゲートウェイ更新方法のフローチャートである。
【図９Ａ】本発明の一実施形態による第３分散型ゲートウェイ更新方法の概略シグナリング相互作用図である。
【図９Ｂ】本発明の一実施形態による第３分散型ゲートウェイ更新方法の概略シグナリング相互作用図である。
【図１０】本発明の一実施形態による第４分散型ゲートウェイ更新方法のフローチャートである。
【図１１Ａ】本発明の一実施形態による第４分散型ゲートウェイ更新方法の概略シグナリング相互作用図である。
【図１１Ｂ】本発明の一実施形態による第４分散型ゲートウェイ更新方法の概略シグナリング相互作用図である。
【図１２】本発明の一実施形態によるユーザプレーンゲートウェイ更新装置の第１概略モジュール図である。
【図１３】本発明の一実施形態による制御プレーンゲートウェイの第１概略構造図である。
【図１４】本発明の一実施形態によるユーザプレーンゲートウェイ更新装置の第２概略モジュール図である。
【図１５】本発明の一実施形態による制御プレーンゲートウェイの第２概略構造図である。
【図１６】本発明の一実施形態によるユーザプレーンゲートウェイ更新装置の第３概略モジュール図である。
【図１７】本発明の一実施形態による移動性管理エンティティの第１概略構造図である。
【図１８】本発明の一実施形態によるユーザプレーンゲートウェイ更新装置の第４概略モジュール図である。
【図１９】本発明の一実施形態による移動性管理エンティティの第２概略構造図である。
【発明を実施するための形態】
【００２５】
本発明の目的、技術的解決策、及び利点を明確にするために、以下に、本発明の実施形態における技術的解決策を本発明の実施形態における添付の図面を参照して明確且つ完全に記載する。明らかに、記載される実施形態は、本発明の実施形態の一部であり、全てではない。本発明の実施形態に基づき創造的労力を有しないで当業者により得られる全ての他の実施形態は、本発明の保護範囲に包含される。
【００２６】
本願明細書において用語「及び／又は」は、関連するオブジェクトを説明するための関連付け関係を記載するだけであり、３つの関係が存在し得ることを表す。例えば、Ａ及び／又はＢは、以下の３つの場合を表すことがある。Ａのみが存在する、ＡとＢの両方が存在する、並びに、Ｂのみが存在する。さらに、本願明細書中の記号「／」は、概して、関連するオブジェクト間の「又は」の関係を示す。
【００２７】
図３を参照すると、図３に示される分散型ゲートウェイアーキテクチャは、本発明の一実施形態によるユーザプレーンゲートウェイ更新方法に適用可能である。以下は、図３の主なネットワーク要素を簡単に説明する。
【００２８】
ＵＥ（ユーザ機器、英語名：User  Equipment）は、モバイル端末（Mobile  Terminal）、モバイルユーザ機器、等としても参照され、無線アクセスネットワーク（ＲＡＮ、Radio  Access  Network）を用いて１又は複数のコアネットワーク（ＣＮ、Core  Network）と通信して良い。ユーザ機器は、例えば、携帯電話機、又はポータブル、ポケットサイズ、ハンドヘルド、コンピュータ内蔵、又は車内モバイル装置のようなモバイル端末を備えるコンピュータであって良い。例えば、ユーザ機器は、携帯電話機、インテリジェント端末、マルチメディア装置、又はストリーミングメディア装置であって良い。
【００２９】
ｅＮｏｄｅＢ（進化型ノードＢ、英語名：Evolved  Node  B）は、ＬＴＥネットワークにおける無線基地局である。ｅＮｏｄｅＢは、ＬＴＥ無線アクセスネットワークの中の唯一のネットワーク要素であり、無線インタフェースに関する全ての機能を担う。ｅＮｏｄｅＢは、代替で、ＧＳＭ又はＣＤＭＡにおける基地局（ＢＴＳ、Base  Transceiver  Station）であって良く、又はＷＣＤＭＡにおける基地局（ＮｏｄｅＢ）、又は後の進化型システムにおける同様の機能を実装するネットワーク装置であって良く、本発明において限定されない。理解されるべきことに、例えば分散型基地局を用いる実際のネットワーク展開要件に従いネットワーク装置の形式について行われる対応する変更も、本発明の保護範囲内にある。
【００３０】
ＭＭＥ（移動性管理エンティティ、英語名：Mobility  Management  Entity）は、シグナリングの処理を担う、ＬＴＥコアネットワークにおけるネットワーク要素である。ＭＭＥは、ユーザコンテキスト及び移動性状態管理を含む、制御プレーンにおける移動性管理を担う。
【００３１】
ＧＷ−Ｃ（制御プレーンゲートウェイ、英語名：Gateway  Control−plane）は、一緒に展開される。ＧＷ−Ｃは、ＧＷ−ＣとＭＭＥとの間のＧＴＰ−Ｃシグナリング及びＧＷ−Ｃと別のネットワーク要素との間のシグナリングを含む外部シグナリング相互作用の処理を担う。
【００３２】
ＧＷ−Ｕ（ユーザプレーンゲートウェイ、英語名：Gateway  User−plane）は、分散型方法で展開される。ＧＷ−Ｕは、ＧＷ−Ｃにより示されたコンテキスト情報に従い、ユーザデータパケットを転送するよう構成される。
【００３３】
本発明の実施形態は、ＧＷ−Ｕ更新を実施するための２つのメカニズムを主に提案する。２つのメカニズムは以下の通り別個に説明される。
【００３４】
第１メカニズムでは、既存ＴＡＵ手順の過程で、ＭＭＥは、所定メカニズムを用いてＧＷ−Ｃに通知し、ＧＷ−ＣはＰＤＮ解放及びＧＷ−Ｕ更新を完了するために再確立手順を開始する。
【００３５】
第２メカニズムでは、ＭＭＥは、ＧＷ−ＵとＴＡとの間のマッピング関係を予め取得し、既存ＴＡＵ手順の過程で、ＭＭＥは、ＰＤＮ解放及びＧＷ−Ｕ更新を完了するために再確立手順を積極的に開始する。
【００３６】
実施形態１
実施形態１は、第１メカニズムにおいてＧＷ−Ｕ更新がどのように実施されるかを詳述する。図４に示すように、第１メカニズムでは、ＧＷ−Ｕ更新を実施する第１方法は、以下のステップを含む。
【００３７】
ステップ４０１：制御プレーンゲートウェイＧＷ−Ｃは、移動性管理エンティティＭＭＥへ、第１ＰＤＮ接続が確立されることを示すために使用される第１メッセージを送信する。ここで、第１パケットデータネットワークＰＤＮ接続は、ユーザ機器ＵＥと第１ユーザプレーンゲートウェイＧＷ−Ｕとの間のＰＤＮ接続であり、第１メッセージは、通知パラメータを伝達し、通知パラメータは、ＵＥの位置する追跡領域ＴＡが変化するときＧＷ−Ｃに通知することを、ＭＭＥに要求するために使用される。
【００３８】
ステップ４０２：ＧＷ−Ｃは、ＭＭＥにより送信された通知メッセージを受信する。ここで、通知メッセージは、ＵＥの位置する追跡領域ＴＡが変化することを、ＧＷ−Ｃに通知するために使用される。
【００３９】
ステップ４０３：ＧＷ−Ｃは、通知メッセージに従い、ＵＥの位置する新しいＴＡが第２ＧＷ−Ｕに対応することを決定する。ここで、第２ＧＷ−Ｕは第１ＧＷ−Ｕと異なる。
【００４０】
ステップ４０４：ＧＷ−Ｃは、ＭＭＥへ、ＰＤＮ接続を再確立する要求メッセージを送信する。ここで、要求メッセージは、第２ＰＤＮ接続を開始するようＵＥをトリガすることを、ＭＭＥに要求するために使用され、第２ＰＤＮ接続は、ＵＥと第２ＧＷ−Ｕとの間のＰＤＮ接続である。
【００４１】
ステップ４０５：ＧＷ−Ｃは、第２ＧＷ−Ｕを用いて第２ＰＤＮ接続を確立する。
【００４２】
ＧＷ−ＣがＭＭＥへＰＤＮ接続を再確立する要求メッセージを送信することは、以下を含む：
ＧＷ−Ｃは、ＭＭＥへ、ＰＤＮ接続を再確立する要求メッセージを送信する。ここで、要求メッセージは、第１ＰＤＮ接続を削除するようＭＭＥに指示するために使用され、要求メッセージは、第２ＰＤＮ接続を確立するようＵＥに指示するために使用されるパラメータを伝達する。
【００４３】
具体的に、ＵＥがネットワークにアタッチする過程で、又はＵＥと第１ＧＷ−Ｕとの間の第１ＰＤＮ接続が確立される過程で、ＧＷ−Ｃは、ＵＥの位置するＴＡが変化するときにＧＷ−Ｃに通知することをＭＭＥに要求するために、変化報告動作（英語名：Change  Reporting  Action）パラメータをＭＭＥへ送信する。ＵＥがＴＡＵ手順の実行をトリガする場合、ＭＭＥは、ＵＥの位置するＴＡが変化することをＧＷ−Ｃに通知するために、変化通知（英語名：Change  Notification）メッセージをＧＷ−Ｃへ送信する。ＧＷ−Ｃは、ＵＥの位置する新しいＴＡに従い、ＧＷ−Ｕ更新が必要とされるか否かを決定し、ＧＷ−Ｕ更新が必要とされる場合に、ＧＷ−Ｕ更新及び新しいＰＤＮ接続の確立をトリガし完了する。
【００４４】
ＵＥと第１ＧＷ−Ｕとの間のＰＤＮ接続を確立するために、図５のＡ１〜Ａ４に示されるシグナリング相互作用がネットワーク要素間で実行される必要がある。
【００４５】
Ａ１）ＵＥは、第１ＰＤＮ接続を確立することを要求するために、ＰＤＮ接続確立要求（英語名：PDN  Connectivity  Request）メッセージをＭＭＥへ送信する。
【００４６】
Ａ２）ＭＭＥは、セッションを生成することを要求するために、セッション生成要求（英語名：Create  Session  Request）メッセージをＧＷ−Ｃへ送信する。
【００４７】
Ａ３）ＧＷ−Ｃは、第１ＧＷ−Ｕを選択し、ＵＥの位置するＴＡが変化するときにＧＷ−Ｃに通知することをＭＭＥに要求するために、セッション生成応答（英語名：Create  Session  Response）メッセージの中に変化報告動作パラメータを設定する。
【００４８】
Ａ４）ネットワーク要素は、第１ＰＤＮ接続を確立する他のステップを完了する。
【００４９】
ＵＥがＴＡＵ手順の実行をトリガする、つまり、ＵＥの位置するＴＡが変化する場合、ＴＡＵ手順を実行する過程で、図５の１〜１０に示されるシグナリング相互作用がネットワーク要素間で実行される必要がある。
【００５０】
１）ＵＥはＴＡＵをトリガする。
【００５１】
２）ＵＥは、ＴＡＵを開始するために、ｅＮｏｄｅＢへＴＡＵ要求メッセージを送信する。
【００５２】
３）ｅＮｏｄｅＢは、ＴＡＵ要求メッセージをＭＭＥへ転送する。
【００５３】
４）ＭＭＥは、ＵＥの位置するＴＡが変化するという情報をＧＷ−Ｃに知らせるために、変化通知メッセージをＧＷ−Ｃへ送信する。
【００５４】
５）変化通知メッセージを受信した後に、ＧＷ−Ｃは、変化通知肯定応答（英語名：Change  Notification  Ack）メッセージをＭＭＥへ返す。
【００５５】
６）ＭＭＥは、ＴＡＵ受理メッセージをＵＥへ送信する。
【００５６】
７）ＵＥは、ＴＡＵ完了メッセージをＭＭＥへ送信する。
【００５７】
８）ＧＷ−Ｃは、ＵＥの位置する新しいＴＡと分散型方法で展開されるＧＷ−Ｕとの間の対応に従い、ＧＷ−Ｕ更新が必要とされるか否かを決定し、ＧＷ−Ｕ更新が必要とされる場合に、ＧＷ−Ｃは、第１ＰＤＮ接続の規定ベアラを削除するようＭＭＥに指示するためにベアラ削除要求（英語名：Delete  Bearer  Request）メッセージをＭＭＥへ送信し、メッセージ内の原因を「Reactivation  Requested」に設定する。
【００５８】
９）ネットワーク要素は、第１ＰＤＮ接続の規定ベアラを非アクティブにする手順を完了する。
【００５９】
１０）「Reactivation  Requested」パラメータの指示に従い、ＵＥは、新しいＰＤＮ接続要求を開始する。ＧＷ−Ｃは、第２ＧＷ−Ｕを選択し、ＵＥと第２ＧＷ−Ｕとの間のＰＤＮ接続を確立する処理を完了する。
【００６０】
前述の処理において、ＧＷ−Ｕ更新手順が実行される必要のない場合、ステップ８）〜１０）は実行されない。
【００６１】
実施形態１では、Change  Reporting  Actionが設定され、したがって、ＵＥがＴＡＵを実行するとき、ＭＭＥはＧＷ−Ｃに積極的に通知でき、ＧＷ−Ｃは、ＵＥの位置する新しいＴＡに従い、ＧＷ−Ｕ更新が必要とされるか否かを決定し、ＧＷ−Ｕ更新が必要とされる場合に、ＧＷ−Ｕ更新及びＰＤＮ接続再確立をトリガし完了することができる。
【００６２】
一方で、実施形態１は、既存のＴＡＵ手順がＧＷ−Ｕ更新を実施できないという問題を解決し、ＧＷ−Ｃは、ＵＥの現在位置に従い、最良ＧＷ−Ｕを選択し、ＰＤＮ接続を確立できる。それにより、データ送信経路を最適化し、通信性能を保証する。他方で、実施形態１では、ＭＭＥを変更することなく、ＭＭＥによりＧＷ−Ｃに通知する機能を実施するために、既存のLocation  Change  Reporting手順が使用される。したがって、実装コストが削減される。
【００６３】
実施形態２
実施形態２は、第１メカニズムにおいてＧＷ−Ｕ更新がどのように実施されるかを詳述する。図６に示すように、第１メカニズムでは、ＧＷ−Ｕ更新を実施する第２方法は、以下のステップを含む。
【００６４】
ステップ６０１：制御プレーンゲートウェイＧＷ−Ｃは、移動性管理エンティティＭＭＥへ、第１パケットデータネットワークＰＤＮ接続が確立されることを示すために使用される第１メッセージを送信する。ここで、第１ＰＤＮ接続は、ユーザ機器ＵＥと第１ユーザプレーンゲートウェイＧＷ−Ｕとの間のＰＤＮ接続であり、第１メッセージは、第１ＧＷ−Ｕに対応するＴＡ識別子リストを伝達する。
【００６５】
ステップ６０２：ＧＷ−Ｃは、ＭＭＥが第１メッセージに従い送信した通知メッセージを受信する。ここで、通知メッセージは、ＵＥの位置する追跡領域ＴＡのＴＡ識別子がＴＡ識別子リストの中に無いことを、ＧＷ−Ｃに通知するために使用される。
【００６６】
ステップ６０３：ＧＷ−Ｃは、ＭＭＥへ、ＰＤＮ接続を再確立する要求メッセージを送信する。ここで、要求メッセージは、第２ＰＤＮ接続を開始するようＵＥをトリガすることを、ＭＭＥに要求するために使用され、第２ＰＤＮ接続は、ＵＥと第２ＧＷ−Ｕとの間のＰＤＮ接続である。
【００６７】
ステップ６０４：ＧＷ−Ｃは、第２ＧＷ−Ｕを用いて第２ＰＤＮ接続を確立する。
【００６８】
ＧＷ−ＣがＭＭＥへＰＤＮ接続を再確立する要求メッセージを送信することは、以下を含む：
ＧＷ−Ｃは、ＭＭＥへ、ＰＤＮ接続を再確立する要求メッセージを送信する。ここで、要求メッセージは、第１ＰＤＮ接続を削除するようＭＭＥに指示するために使用され、要求メッセージは、第２ＰＤＮ接続を確立するようＵＥに指示するために使用されるパラメータを伝達する。
【００６９】
具体的に、ＵＥがネットワークにアタッチする過程で、又はＵＥと第１ＧＷ−Ｕとの間に第１ＰＤＮ接続が確立される過程で、ＧＷ−Ｃは、ＭＭＥへ、第１ＧＷ−Ｕに対応するＴＡリストを送信する。ＵＥがＴＡＵ手順の実行をトリガする場合、ＭＭＥは、ＵＥの位置する新しいＴＡが第１ＧＷ−Ｕに対応するＴＡリストの中にあるか否かを決定する。ＵＥの位置する新しいＴＡが第１ＧＷ−Ｕに対応するＴＡリストの中に無い場合、ＭＭＥは、変化通知メッセージをＧＷ−Ｃへ送信し、ＧＷ−Ｃは、ＧＷ−Ｕ更新の完了及び新しいＰＤＮ接続の確立をトリガする。
【００７０】
実施形態１と比較すると、実施形態２では、ＴＡＵの前のＴＡ及びＴＡＵの後のＴＡの両者が第１ＧＷ−Ｕに対応する場合があり得るので、全てのＴＡＵがＧＷ−Ｕ更新を生じるとは限らないと考えられる。したがって、ＵＥがＴＡＵ手順の実行をトリガする度にＭＭＥが変化通知メッセージをＧＷ−Ｃへ送信する実施形態１の場合と異なり、実施形態２では、ＵＥが第１ＧＷ−Ｕに対応するＴＡリストを出た後にのみ（つまり、ＵＥによりトリガされたＴＡＵがＧＷ−Ｕ更新を引き起こすときだけ）、ＭＭＥはＧＷ−Ｃに通知する。したがって、実施形態１と比べて、実施形態２では、シグナリング負荷がある程度軽減される。
【００７１】
ＵＥと第１ＧＷ−Ｕとの間のＰＤＮ接続を確立するために、図７ＡのＡ１〜Ａ４に示されるシグナリング相互作用がネットワーク要素間で実行される必要がある。
【００７２】
Ａ１）ＵＥは、第１ＰＤＮ接続を確立することを要求するために、ＰＤＮ接続確立要求メッセージをＭＭＥへ送信する。
【００７３】
Ａ２）ＭＭＥは、セッションを生成することを要求するために、セッション生成要求メッセージをＧＷ−Ｃへ送信する。
【００７４】
Ａ３）ＧＷ−Ｃは、第１ＧＷ−Ｕを選択し、ＭＭＥへ返されるべきセッション生成メッセージの中に、第１ＧＷ−Ｕに対応するＴＡリストを設定し、ＭＭＥはＵＥ毎にＴＡリストを格納する。
【００７５】
Ａ４）ネットワーク要素は、第１ＰＤＮ接続を確立する他のステップを完了する。
【００７６】
ＵＥがＴＡＵ手順の実行をトリガする、つまり、ＵＥの位置するＴＡが変化する場合、ＴＡＵ手順を実行する過程で、図７Ａ及び７Ｂの１〜１０に示されるシグナリング相互作用がネットワーク要素間で実行される必要がある。
【００７７】
１）ＵＥはＴＡＵをトリガする。
【００７８】
２）ＵＥは、ＴＡＵを開始するために、ｅＮｏｄｅＢへＴＡＵ要求メッセージを送信する。
【００７９】
３）ｅＮｏｄｅＢは、ＴＡＵ要求メッセージをＭＭＥへ転送する。
【００８０】
４）ＭＭＥは、ＵＥの位置する新しいＴＡが第１ＧＷ−Ｕに対応するＴＡリストの中にあるか否かを決定する。ＵＥの位置する新しいＴＡが第１ＧＷ−Ｕに対応するＴＡリストの中に無い場合、ＭＭＥは、変化通知メッセージをＧＷ−Ｃへ送信する。
【００８１】
５）変化通知メッセージを受信した後に、ＧＷ−Ｃは、変化通知肯定応答メッセージをＭＭＥへ返す。
【００８２】
６）ＭＭＥは、ＴＡＵ受理メッセージをＵＥへ送信する。
【００８３】
７）ＵＥは、ＴＡＵ完了メッセージをＭＭＥへ送信する。
【００８４】
８）変化通知メッセージを受信した後に、ＧＷ−Ｃは、第１ＰＤＮ接続の規定ベアラを削除することをＭＭＥに指示するためにベアラ削除要求メッセージをＭＭＥへ送信し、メッセージ無いの原因を「Reactivation  Requested」に設定する。
【００８５】
９）ネットワーク要素は、第１ＰＤＮ接続の規定ベアラを非アクティブにする手順を完了する。
【００８６】
１０）「Reactivation  Requested」パラメータの指示に従い、ＵＥは、新しいＰＤＮ接続要求を開始する。ＧＷ−Ｃは、第２ＧＷ−Ｕを選択し、ＵＥと第２ＧＷ−Ｕとの間のＰＤＮ接続を確立する処理を完了する。
【００８７】
前述の処理において、ＧＷ−Ｕ更新手順が実行される必要のない場合、ステップ４）、５）、及び８）〜１０）は実行されない。
【００８８】
実施形態２では、第１ＧＷ−Ｕに対応するＴＡリストが設定され、したがって、ＵＥがＴＡＵを実行すると、ＭＭＥは、ＵＥが第１ＧＷ−Ｕに対応するＴＡリストから出た後にのみ、ＧＷ−Ｃに通知し、ＧＷ−ＣはＧＷ−Ｕ更新及びＰＤＮ接続再確立をトリガし完了する。
【００８９】
一方で、実施形態１と比較すると、実施形態２では、不要な変化通知メッセージの量が削減され、シグナリング負荷が軽減される。他方で、実施形態２では、ＭＭＥを変更することなく、ＵＥが特定ＴＡリストを出るときにＭＭＥによりＧＷ−Ｃに通知する機能を実施するために、既存のPresence  Reporting  Area手順が使用される。したがって、実装コストが削減される。
【００９０】
実施形態３
実施形態３は、第２メカニズムにおいてＧＷ−Ｕ更新がどのように実施されるかを詳述する。図８に示すように、第２メカニズムでは、ＧＷ−Ｕ更新を実施する第１方法は、以下のステップを含む。
【００９１】
ステップ８０１：移動性管理エンティティＭＭＥは、第１パケットデータネットワークＰＤＮ接続が確立されることを示すために使用され及び制御プレーンゲートウェイＧＷ−Ｃにより送信される第１メッセージを受信する。ここで、第１ＰＤＮ接続は、ユーザ機器ＵＥと第１ユーザプレーンゲートウェイＧＷ−Ｕとの間のＰＤＮ接続であり、第１メッセージは、第１ＧＷ−Ｕに対応するＴＡ識別子リストを伝達する。
【００９２】
ステップ８０２：ＭＭＥは、ＵＥの位置する追跡領域ＴＡのＴＡ識別子がＴＡ識別子リストの中に無いことを決定する。
【００９３】
ステップ８０３：ＭＭＥは、ＵＥへ、ＰＤＮ接続を再確立する要求メッセージを送信する。ここで、要求メッセージは、第２ＰＤＮ接続を開始するようＵＥをトリガするために使用され、第２ＰＤＮ接続は、ＵＥと第２ＧＷ−Ｕとの間のＰＤＮ接続である。
【００９４】
ＭＭＥがＵＥへＰＤＮ接続を再確立する要求メッセージを送信することは、以下を含む：
ＭＭＥは、第１ＰＤＮ接続を切断する要求メッセージを送信する。ここで、要求メッセージは、第２ＰＤＮ接続を確立するようＵＥに指示するために使用されるパラメータを伝達する。
【００９５】
具体的に、ＵＥがネットワークにアタッチする過程で、又はＵＥと第１ＧＷ−Ｕとの間に第１ＰＤＮ接続が確立される過程で、ＧＷ−Ｃは、ＭＭＥへ、第１ＧＷ−Ｕに対応するＴＡリストを送信する。ＵＥがＴＡＵ手順の実行をトリガする場合、ＭＭＥは、ＵＥの位置する新しいＴＡが第１ＧＷ−Ｕに対応するＴＡリストの中にあるか否かを決定する。ＵＥの位置する新しいＴＡが第１ＧＷ−Ｕに対応するＴＡリストの中に無い場合、ＭＭＥは、ＧＷ−Ｕ更新及び新しいＰＤＮ接続の確立をトリガし完了する。
【００９６】
実施形態２と比較して、実施形態３では、ＵＥが第１ＧＷ−Ｕに対応するＴＡリストを出るとき（つまり、ＵＥによりトリガされたＴＡＵがＧＷ−Ｕ更新を引き起こすとき）、ＭＭＥは、もはや実施形態２のようにＧＷ−Ｃに通知しない。代わりに、ＭＭＥは、ＧＷ−Ｕ更新及びＰＤＮ接続再確立を積極的に開始し完了する。
【００９７】
ＵＥと第１ＧＷ−Ｕとの間のＰＤＮ接続を確立するために、図９ＡのＡ１〜Ａ４に示されるシグナリング相互作用がネットワーク要素間で実行される必要がある。
【００９８】
Ａ１）ＵＥは、第１ＰＤＮ接続を確立することを要求するために、ＰＤＮ接続確立要求メッセージをＭＭＥへ送信する。
【００９９】
Ａ２）ＭＭＥは、セッションを生成することを要求するために、セッション生成要求メッセージをＧＷ−Ｃへ送信する。
【０１００】
Ａ３）ＧＷ−Ｃは、第１ＧＷ−Ｕを選択し、ＭＭＥへ返されるべきセッション生成メッセージの中に、第１ＧＷ−Ｕに対応するＴＡリストを設定し、ＭＭＥはＵＥ毎にＴＡリストを格納する。
【０１０１】
Ａ４）ネットワーク要素は、第１ＰＤＮ接続を確立する他のステップを完了する。
【０１０２】
ＵＥがＴＡＵ手順の実行をトリガする、つまり、ＵＥの位置するＴＡが変化する場合、ＴＡＵ手順を実行する過程で、図９Ａ及び図９Ｂの１〜７に示されるシグナリング相互作用がネットワーク要素間で実行される必要がある。
【０１０３】
１）ＵＥはＴＡＵをトリガする。
【０１０４】
２）ＵＥは、ＴＡＵを開始するために、ｅＮｏｄｅＢへＴＡＵ要求メッセージを送信する。
【０１０５】
３）ｅＮｏｄｅＢは、ＴＡＵ要求メッセージをＭＭＥへ転送する。
【０１０６】
４）ＭＭＥは、ＴＡＵ受理メッセージをＵＥへ送信する。
【０１０７】
５）ＵＥは、ＴＡＵ完了メッセージをＭＭＥへ送信する。
【０１０８】
６）ＭＭＥは、ＵＥの位置する新しいＴＡが第１ＧＷ−Ｕに対応するＴＡリストの中にあるか否かを決定する。ＵＥの位置する新しいＴＡが第１ＧＷ−Ｕに対応するＴＡリストの中に無い場合、ＭＭＥは、ＰＤＮ切断手順を開始し、メッセージ内の原因を「Reactivation  Requested」に設定する。
【０１０９】
７）「Reactivation  Requested」パラメータの指示に従い、ＵＥは、新しいＰＤＮ接続要求を開始する。ＧＷ−Ｃは、第２ＧＷ−Ｕを選択し、ＵＥと第２ＧＷ−Ｕとの間のＰＤＮ接続を確立する処理を完了する。
【０１１０】
前述の処理において、ＧＷ−Ｕ更新手順が実行される必要のない場合、ステップ６）及び７）は実行されない。
【０１１１】
実施形態３では、第１ＧＷ−Ｕに対応するＴＡリストが設定され、したがって、ＵＥがＴＡＵを実行すると、ＭＭＥは、ＵＥが第１ＧＷ−Ｕに対応するＴＡリストから出た後にのみ、ＧＷ−Ｕ更新及びＰＤＮ接続再確立を積極的に開始し完了する。
【０１１２】
実施形態３では、ＭＭＥが、ＴＡＵがＧＷ−Ｕ更新を引き起こすか否かを決定し、ＧＷ−Ｕ更新及びＰＤＮ接続再確立を開始し完了できるように、ＭＭＥ上で機能拡張が実行される必要がある。実施形態２と比べて、実施形態３では、ＭＭＥとＧＷ−Ｕとの間のシグナリング相互作用（実施形態２における変化通知及び変化通知肯定応答メッセージ）の量が削減され、シグナリング負荷が更に低減される。
【０１１３】
実施形態４
実施形態４は、第２メカニズムにおいてＧＷ−Ｕ更新がどのように実施されるかを詳述する。図１０に示すように、第２メカニズムでは、ＧＷ−Ｕ更新を実施する第２方法は、以下のステップを含む。
【０１１４】
ステップ１０１：ユーザ機器ＵＥの位置する追跡領域ＴＡが変化した後に、移動性管理エンティティＭＭＥは、ＵＥの位置する元のＴＡが第１ＴＡ識別子に対応することを決定し、ＵＥの位置する新しいＴＡが第２ＴＡ識別子に対応することを決定する。ここで、第１ＰＤＮ接続はＵＥと第１ＧＷ−Ｕとの間に確立される。
【０１１５】
ステップ１０２：ＭＭＥは、各ＧＷ−Ｕ識別子と追跡領域ＴＡ識別子リストとの間の予め格納された対応に従い、第１ＴＡ識別子のあるＴＡリストが第１ＧＷ−Ｕ識別子に対応することを決定し、第２ＴＡ識別子のあるＴＡリストが第２ＧＷ−Ｕ識別子に対応することを決定する。
【０１１６】
ステップ１０３：第１ＧＷ−Ｕ識別子に対応する第１ＧＷ−Ｕが第２ＧＷ−Ｕ識別子に対応する第２ＧＷ−Ｕと異なるとき、ＭＭＥは、ＵＥへ、ＰＤＮ接続を再確立する要求メッセージを送信する。ここで、要求メッセージは、第２ＰＤＮ接続を開始するようＵＥをトリガするために使用され、第２ＰＤＮ接続は、ＵＥと第２ＧＷ−Ｕとの間のＰＤＮ接続である。
【０１１７】
ＭＭＥがＵＥへＰＤＮ接続を再確立する要求メッセージを送信することは、以下を含む：
ＭＭＥは、ＵＥへ、第１ＰＤＮ接続を切断する要求メッセージを送信する。ここで、要求メッセージは、第２ＰＤＮ接続を確立するようＵＥに指示するために使用されるパラメータを伝達する。
【０１１８】
具体的に、各ＧＷ−Ｕに対応するＴＡリストは、装置レベルシグナリングを用いてＭＭＥへ送信される。ＵＥがＴＡＵ手順の実行をトリガする場合、ＭＭＥは、ＵＥの位置する新しいＴＡに対応するＧＷ−ＵがＵＥの位置する元のＴＡに対応するＧＷ−Ｕと同じであるか否かを決定する。ＵＥの位置する新しいＴＡに対応するＧＷ−ＵがＵＥの位置する元のＴＡに対応するＧＷ−Ｕと異なる場合、ＭＭＥは、ＧＷ−Ｕ更新及び新しいＰＤＮ接続の確立をトリガし完了する。
【０１１９】
ＵＥがＴＡＵ手順の実行をトリガする、つまり、ＵＥの位置するＴＡが変化する場合、ＴＡＵ手順を実行する過程で、図１１Ａ及び図１１Ｂの０〜７に示されるシグナリング相互作用がネットワーク要素間で実行される必要がある。
【０１２０】
０）ＧＷ−Ｃは、ＧＷ−ＵとＴＡとの間のマッピングテーブル、｛［ＧＷ−Ｕ  ＩＤ，ＴＡリスト］，．．．｝、をＭＭＥへ送信し、又はＧＷ−ＵとＴＡとの間のマッピングテーブル、｛［ＧＷ−Ｕ  ＩＤ，ＴＡリスト］，．．．｝、をＭＭＥ内に予め構成する。後に、ＵＥアタッチ又は第１ＰＤＮ接続の確立中に、ＭＭＥは、ＵＥの位置するＴＡに従い及び計算により、対応するＧＷ−Ｕ  ＩＤが第１ＧＷ−Ｕであることを取得して良い。
【０１２１】
１）ＵＥはＴＡＵをトリガする。
【０１２２】
２）ＵＥは、ＴＡＵを開始するために、ｅＮｏｄｅＢへＴＡＵ要求メッセージを送信する。
【０１２３】
３）ｅＮｏｄｅＢは、ＴＡＵ要求メッセージをＭＭＥへ転送する。
【０１２４】
４）ＭＭＥは、ＴＡＵ受理メッセージをＵＥへ送信する。
【０１２５】
５）ＵＥは、ＴＡＵ完了メッセージをＭＭＥへ送信する。
【０１２６】
６）ＭＭＥは、ＧＷ−ＵとＴＡとの間のマッピングテーブルを検索し、ＵＥの位置する新しいＴＡが第２ＧＷ−Ｕに対応することを決定し、第２ＧＷ−Ｕが第１ＧＷ−Ｕと同じか否かを決定する。第２ＧＷ−Ｕが第１ＧＷ−Ｕと異なる場合、ＭＭＥは、ＰＤＮ切断（英語名：PDN  disconnection）手順を開始し、メッセージ内の原因を「Reactivation  Requested」に設定する。
【０１２７】
７）「Reactivation  Requested」パラメータの指示に従い、ＵＥは、新しいＰＤＮ接続要求を開始する。ＧＷ−Ｃは、新しいＧＷ−Ｕを選択し、ＵＥと新たに選択したＧＷ−Ｕとの間のＰＤＮ接続を確立する処理を完了する。
【０１２８】
前述の処理において、ＧＷ−Ｕ更新手順が実行される必要のない場合、ステップ６）及び７）は実行されない。
【０１２９】
実施形態４では、ＧＷ−Ｕ状態が変化し得るので（追加、削除、位置変化、対応するＴＡリストの変化、等）、ステップ０）が実行された後に、図１１Ｂの８）及び９）に示されるシグナリング相互作用がネットワーク要素間で実行される必要がある。
【０１３０】
８）ＧＷ−Ｕ状態が変化すると（追加、削除、位置変化、対応するＴＡリストの変化、等）、状態の変化するＧＷ−Ｕは、ＧＷ−Ｃに通知する。
【０１３１】
９）ＧＷ−Ｃは、ＧＷ−Ｕ状態変化情報に従い、ＧＷ−ＵとＴＡとの間の更新されたマッピングテーブルをＭＭＥへ送信する。
【０１３２】
前述の処理において、ステップ８）はＧＷ−Ｕ状態が変化するときだけ実行され、ステップ９）はＧＷ−ＵとＴＡリストとの間のマッピング関係が変化するときだけ実行される。
【０１３３】
実施形態４では、ＧＷ−Ｃは、装置レベルシグナリングを用いてＧＷ−ＵとＴＡとの間のマッピングテーブルをＭＭＥへ転送する。したがって、ＵＥがＴＡＵを実行するとき、ＭＭＥは、ＧＷ−Ｕ更新が必要とされるか否かを決定するためにマッピングテーブルを検索でき、ＧＷ−Ｕ更新が必要とされるとき、ＭＭＥは、ＧＷ−Ｕ更新及びＰＤＮ接続再確立を積極的に開始し完了する。さらに、ＧＷ−Ｕ状態が変化すると、ＧＷ−Ｃは、装置レベルメッセージを用いて、ＧＷ−ＵとＴＡとの間のマッピングテーブルを更新する。
【０１３４】
実施形態４では、ＭＭＥが、ＧＷ−ＵとＴＡとの間のマッピングテーブルを受信し及び処理し、ＴＡＵがＧＷ−Ｕ更新を引き起こすか否かを決定し、ＧＷ−Ｕ更新及びＰＤＮ接続再確立を開始し完了できるように、ＭＭＥ上で機能拡張が実行される必要がある。実施形態１〜実施形態３と比べて、実施形態４では、一方で、ＧＷ−ＵとＴＡとの間のマッピングテーブルを転送するために装置レベルシグナリングが使用され、システムのシグナリング負荷が更に低減され、もう一方で、ＧＷ−Ｕ状態が変化するとき、新しいマッピング関係がＭＭＥへ適時的方法で送信でき、それにより、ＧＷ−Ｕ更新が必要とされるか否かをＭＭＥが正しく決定できることを保証する。
【０１３５】
実施形態１及び実施形態２と比べて、実施形態３及び実施形態４では、ＭＭＥにより、ＰＤＮ再確立手順を積極的に開始することは、実際には、ＰＤＮ接続再確立を開始するようＵＥをトリガするためにＰＤＮ切断手順を使用することである。しかしながら、実施形態１及び実施形態２では、ＧＷ−ＣによりＰＤＮ再確立手順を開始することは、実際には、ＰＤＮ接続再確立を開始するようＵＥをトリガするために、第１ＰＤＮ接続の規定ベアラを非アクティブにする手順を使用することである。
【０１３６】
実施形態２及び実施形態３と比べて、実施形態４では、ＧＷ−Ｃは、ＧＷ−ＵとＴＡとの間のマッピングテーブルをＭＭＥへ送信し、又は予めＭＭＥにＧＷ−ＵとＴＡとの間のマッピングテーブルを構成する。したがって、ＵＥが第１ＧＷ−ＵとＰＤＮ接続を確立する過程で、第１ＧＷ−Ｕに対応するＴＡリストは、再び転送されない。
【０１３７】
要するに、ＴＡＵ手順を実行する過程でＧＷ−Ｕ更新がサポートされないという従来の技術的問題を解決するために、本発明の実施形態は、４つの異なる解決策を提供する。既存の実施メカニズムと互換性があること及びシステム効率を向上することを目的として、ＵＥがＴＡＵを実行するとき、分散型ゲートウェイのＥＰＳシステムが、ＵＥの現在位置に従い最良ＧＷ−Ｕを選択し、ＰＤＮ接続を再確立でき、それにより、データ送信経路を最適化し及び通信性能を保証する。
【０１３８】
同じ発明概念に基づき、本発明の一実施形態は、ユーザプレーンゲートウェイ更新装置を更に提供する。
【０１３９】
図１２を参照すると、図１２は、本発明の一実施形態によるユーザプレーンゲートウェイ更新装置の第１概略モジュール図である。図１２に示されるユーザプレーンゲートウェイ更新装置の特定の実装及びその中で使用される用語の意味については、前述の実施形態及び図１乃至図１１Ｂの関連する記載が参照できる。装置は、上述の制御プレーンゲートウェイであって良く、装置は、送信ユニット１２０１、受信ユニット１２０２、決定ユニット１２０３、要求ユニット１２０４、及び確立ユニット１２０５を含む。
【０１４０】
送信ユニット１２０１は、移動性管理エンティティＭＭＥへ、第１ＰＤＮ接続が確立されることを示すために使用される第１メッセージを送信するよう構成される。ここで、第１ＰＤＮ接続は、ユーザ機器ＵＥと第１ユーザプレーンゲートウェイＧＷ−Ｕとの間のＰＤＮ接続であり、第１メッセージは、通知パラメータを伝達し、通知パラメータは、ＵＥの位置する追跡領域ＴＡが変化するときＧＷ−Ｃに通知することを、ＭＭＥに要求するために使用される。
【０１４１】
受信ユニット１２０２は、ＭＭＥにより送信された通知メッセージを受信するよう構成される。ここで、通知メッセージは、ＵＥの位置する追跡領域ＴＡが変化することを、ＧＷ−Ｃに通知するために使用される。
【０１４２】
決定ユニット１２０３は、通知メッセージに従い、ＵＥの位置する新しいＴＡが第２ＧＷ−Ｕに対応することを決定する。ここで、第２ＧＷ−Ｕは第１ＧＷ−Ｕと異なる。
【０１４３】
要求ユニット１２０４は、ＭＭＥへ、ＰＤＮ接続を再確立する要求メッセージを送信するよう構成される。ここで、要求メッセージは、第２ＰＤＮ接続を開始するようＵＥをトリガすることを、ＭＭＥに要求するために使用され、第２ＰＤＮ接続は、ＵＥと第２ＧＷ−Ｕとの間のＰＤＮ接続である。
【０１４４】
確立ユニット１２０５は、第２ＧＷ−Ｕを用いて第２ＰＤＮ接続を確立するよう構成される。
【０１４５】
任意的に、要求ユニット１２０４は、
ＭＭＥへ、ＰＤＮ接続を再確立する要求メッセージを送信するよう構成される。ここで、要求メッセージは、第１ＰＤＮ接続を削除するようＭＭＥに指示するために使用され、要求メッセージは、第２ＰＤＮ接続を確立するようＵＥに指示するために使用されるパラメータを伝達する。
【０１４６】
図４及び５の実施形態における前述のユーザプレーンゲートウェイ更新方法の種々の変形方法及び特定の例も、本実施形態のユーザプレーンゲートウェイ更新装置に適用可能である。ユーザプレーンゲートウェイ更新方法の前述の詳細な説明に従い、当業者は、本実施形態のユーザプレーンゲートウェイ更新装置の実装方法を明らかに知ることができる。したがって、本願明細書の簡潔さのために、詳細はここに記載されない。
【０１４７】
図１３を参照すると、図１３は、本発明の一実施形態による制御プレーンゲートウェイの第１概略構造図である。図１３に示されるユーザプレーンゲートウェイの特定の実装及びその中で使用される用語の意味については、前述の実施形態及び図１乃至図１１Ｂの関連する記載が参照できる。制御プレーンゲートウェイは、上述の制御プレーンゲートウェイであって良く、制御プレーンゲートウェイは、送信機１３０１、受信機１３０２、プロセッサ１３０３、及びメモリ１３０４を含む。
【０１４８】
送信機１３０１は、移動性管理エンティティＭＭＥへ、第１ＰＤＮ接続が確立されることを示すために使用される第１メッセージを送信するよう構成される。ここで、第１ＰＤＮ接続は、ユーザ機器ＵＥと第１ユーザプレーンゲートウェイＧＷ−Ｕとの間のＰＤＮ接続であり、第１メッセージは、通知パラメータを伝達し、通知パラメータは、ＵＥの位置する追跡領域ＴＡが変化するときＧＷ−Ｃに通知することを、ＭＭＥに要求するために使用される。
【０１４９】
受信機１３０２は、ＭＭＥにより送信された通知メッセージを受信するよう構成される。ここで、通知メッセージは、ＵＥの位置する追跡領域ＴＡが変化することを、ＧＷ−Ｃに通知するために使用される。
【０１５０】
プロセッサ１３０３は、通知メッセージに従い、ＵＥの位置する新しいＴＡが第２ＧＷ−Ｕに対応することを決定するよう構成され、第２ＧＷ−Ｕは第１ＧＷ−Ｕと異なり、ＭＭＥへＰＤＮ接続を再確立する要求メッセージを送信するよう構成され、要求メッセージは第２ＰＤＮ接続を開始するようＵＥをトリガすることをＭＭＥに要求するために使用され、第２ＰＤＮ接続はＵＥと第２ＧＷ−Ｕとの間のＰＤＮ接続であり、第２ＧＷ−Ｕを用いて第２ＰＤＮ接続を確立するよう構成される。
【０１５１】
任意で、プロセッサ１３０３は、ＭＭＥへ、ＰＤＮ接続を再確立する要求メッセージを送信するよう構成される。ここで、要求メッセージは、第１ＰＤＮ接続を削除するようＭＭＥに指示するために使用され、要求メッセージは、第２ＰＤＮ接続を確立するようＵＥに指示するために使用されるパラメータを伝達する。
【０１５２】
図１３では、バスアーキテクチャ（バス１３００を用いて表される）は任意の数の相互接続バス及びブリッジを含んで良く、バス１３００は、プロセッサ１３０３により表される１又は複数のプロセッサの回路及びメモリ１３０４により表されるメモリの回路を一緒に接続する。バス１３００は、例えば、周辺装置又は電圧安定器を、電力管理回路のような種々の他の回路に更に接続して良い。これらは従来知られており、したがって、本願明細書にこれ以上更に記載されない。バスインタフェース１３０５は、バス１３００と受信機１３０２との間のインタフェース及びバス１３００と送信機１３０１との間のインタフェースを提供する。受信機１３０２及び送信機１３０１は、１つのコンポーネントつまり、伝送媒体上で種々の他の装置と通信するよう構成されるユニットを提供する通信機、であって良い。
【０１５３】
プロセッサ１３０３は、バス１３００の管理及び汎用処理を担う。メモリ１３０４は、プロセッサ１３０３が演算を実行するときに使用されるデータを格納するよう構成されて良い。
【０１５４】
図４及び５の実施形態における前述のユーザプレーンゲートウェイ更新方法の種々の変形方法及び特定の例も、本実施形態の制御プレーンゲートウェイに適用可能である。ユーザプレーンゲートウェイ更新方法の前述の詳細な説明に従い、当業者は、本実施形態の制御プレーンゲートウェイの実装方法を明らかに知ることができる。したがって、本願明細書の簡潔さのために、詳細はここに記載されない。
【０１５５】
図１４を参照すると、図１４は、本発明の一実施形態によるユーザプレーンゲートウェイ更新装置の第２概略モジュール図である。図１４に示されるユーザプレーンゲートウェイ更新装置の特定の実装及びその中で使用される用語の意味については、前述の実施形態及び図１乃至図１１Ｂの関連する記載が参照できる。装置は、上述の制御プレーンゲートウェイであって良く、装置は、送信ユニット１４０１、受信ユニット１４０２、要求ユニット１４０３、及び確立ユニット１４０４を含む。
【０１５６】
送信ユニット１４０１は、移動性管理エンティティＭＭＥへ、第１パケットデータネットワークＰＤＮ接続が確立されることを示すために使用される第１メッセージを送信するよう構成される。ここで、第１ＰＤＮ接続は、ユーザ機器ＵＥと第１ユーザプレーンゲートウェイＧＷ−Ｕとの間のＰＤＮ接続であり、第１メッセージは、第１ＧＷ−Ｕに対応するＴＡ識別子リストを伝達する。
【０１５７】
受信ユニット１４０２は、ＭＭＥが第１メッセージに従い送信した通知メッセージを受信するよう構成される。ここで、通知メッセージは、ＵＥの位置する追跡領域ＴＡのＴＡ識別子がＴＡ識別子リストの中に無いことを、ＧＷ−Ｃに通知するために使用される。
【０１５８】
要求ユニット１４０３は、ＭＭＥへ、ＰＤＮ接続を再確立する要求メッセージを送信するよう構成される。ここで、要求メッセージは、第２ＰＤＮ接続を開始するようＵＥをトリガすることを、ＭＭＥに要求するために使用され、第２ＰＤＮ接続は、ＵＥと第２ＧＷ−Ｕとの間のＰＤＮ接続である。
【０１５９】
確立ユニット１４０４は、第２ＧＷ−Ｕを用いて第２ＰＤＮ接続を確立するよう構成される。
【０１６０】
任意的に、要求ユニット１４０３は、
ＭＭＥへ、ＰＤＮ接続を再確立する要求メッセージを送信するよう構成される。ここで、要求メッセージは、第１ＰＤＮ接続を削除するようＭＭＥに指示するために使用され、要求メッセージは、第２ＰＤＮ接続を確立するようＵＥに指示するために使用されるパラメータを伝達する。
【０１６１】
図６、図７Ａ及び図７Ｂの実施形態における前述のユーザプレーンゲートウェイ更新方法の種々の変形方法及び特定の例も、本実施形態のユーザプレーンゲートウェイ更新装置に適用可能である。ユーザプレーンゲートウェイ更新方法の前述の詳細な説明に従い、当業者は、本実施形態のユーザプレーンゲートウェイ更新装置の実装方法を明らかに知ることができる。したがって、本願明細書の簡潔さのために、詳細はここに記載されない。
【０１６２】
図１５を参照すると、図１５は、本発明の一実施形態による制御プレーンゲートウェイの第２概略構造図である。図１５に示されるユーザプレーンゲートウェイの特定の実装及びその中で使用される用語の意味については、実施形態及び前述の図１乃至図１１Ｂの関連する記載が参照できる。制御プレーンゲートウェイは、上述の制御プレーンゲートウェイであって良く、制御プレーンゲートウェイは、送信機１５０１、受信機１５０２、プロセッサ１５０３、及びメモリ１５０４を含む。
【０１６３】
送信機１５０１は、移動性管理エンティティＭＭＥへ、第１パケットデータネットワークＰＤＮ接続が確立されることを示すために使用される第１メッセージを送信するよう構成される。ここで、第１ＰＤＮ接続は、ユーザ機器ＵＥと第１ユーザプレーンゲートウェイＧＷ−Ｕとの間のＰＤＮ接続であり、第１メッセージは、第１ＧＷ−Ｕに対応するＴＡ識別子リストを伝達する。
【０１６４】
受信機１５０２は、ＭＭＥが第１メッセージに従い送信した通知メッセージを受信するよう構成される。ここで、通知メッセージは、ＵＥの位置する追跡領域ＴＡのＴＡ識別子がＴＡ識別子リストの中に無いことを、ＧＷ−Ｃに通知するために使用される。
【０１６５】
プロセッサ１５０３は、ＭＭＥへ、ＰＤＮ接続を再確立する要求メッセージを送信するよう構成され、要求メッセージは第２ＰＤＮ接続を開始するようＵＥをトリガすることをＭＭＥに要求するために使用され、第２ＰＤＮ接続はＵＥと第２ＧＷ−Ｕとの間のＰＤＮ接続であり、第２ＧＷ−Ｕを用いて第２ＰＤＮ接続を確立するよう構成される。
【０１６６】
任意で、プロセッサ１５０３は、ＭＭＥへ、ＰＤＮ接続を再確立する要求メッセージを送信するよう構成される。ここで、要求メッセージは、第１ＰＤＮ接続を削除するようＭＭＥに指示するために使用され、要求メッセージは、第２ＰＤＮ接続を確立するようＵＥに指示するために使用されるパラメータを伝達する。
【０１６７】
図１５では、バスアーキテクチャ（バス１５００を用いて表される）は任意の数の相互接続バス及びブリッジを含んで良く、バス１５００は、プロセッサ１５０３により表される１又は複数のプロセッサの回路及びメモリ１５０４により表されるメモリの回路を一緒に接続する。バス１５００は、例えば、周辺装置又は電圧安定器を、電力管理回路のような種々の他の回路に更に接続して良い。これらは従来知られており、したがって、本願明細書にこれ以上更に記載されない。バスインタフェース１５０５は、バス１５００と受信機１５０２との間のインタフェース及びバス１５００と送信機１５０１との間のインタフェースを提供する。受信機１５０２及び送信機１５０１は、１つのコンポーネント、つまり、伝送媒体上で種々の他の装置と通信するよう構成されるユニットを提供する通信機、であって良い。
【０１６８】
プロセッサ１５０３は、バス１５００の管理及び汎用処理を担う。メモリ１５０４は、プロセッサ１５０３が演算を実行するときに使用されるデータを格納するよう構成されて良い。
【０１６９】
図６、図７Ａ及び図７Ｂの実施形態における前述のユーザプレーンゲートウェイ更新方法の種々の変形方法及び特定の例も、本実施形態の制御プレーンゲートウェイ更新装置に適用可能である。ユーザプレーンゲートウェイ更新方法の前述の詳細な説明に従い、当業者は、本実施形態の制御プレーンゲートウェイの実装方法を明らかに知ることができる。したがって、本願明細書の簡潔さのために、詳細はここに記載されない。
【０１７０】
図１６を参照すると、図１６は、本発明の一実施形態によるユーザプレーンゲートウェイ更新装置の第３概略モジュール図である。図１６に示されるユーザプレーンゲートウェイ更新装置の特定の実装及びその中で使用される用語の意味については、前述の実施形態及び図１乃至図１１Ｂの関連する記載が参照できる。装置は、上述の移動性管理エンティティであって良く、装置は、受信ユニット１６０１、決定ユニット１６０２、要求ユニット１６０３を含む。
【０１７１】
受信ユニット１６０１は、第１パケットデータネットワークＰＤＮ接続が確立されることを示すために使用され及び制御プレーンゲートウェイＧＷ−Ｃにより送信される第１メッセージを受信するよう構成される。ここで、第１ＰＤＮ接続は、ユーザ機器ＵＥと第１ユーザプレーンゲートウェイＧＷ−Ｕとの間のＰＤＮ接続であり、第１メッセージは、第１ＧＷ−Ｕに対応するＴＡ識別子リストを伝達する。
【０１７２】
決定ユニット１６０２は、ＵＥの位置する追跡領域ＴＡのＴＡ識別子がＴＡ識別子リストの中に無いことを決定するよう構成される。
【０１７３】
要求ユニット１６０３は、ＵＥへ、ＰＤＮ接続を再確立する要求メッセージを送信するよう構成される。ここで、要求メッセージは、第２ＰＤＮ接続を開始するようＵＥをトリガするために使用され、第２ＰＤＮ接続は、ＵＥと第２ＧＷ−Ｕとの間のＰＤＮ接続である。
【０１７４】
任意的に、要求ユニット１６０３は、
第１ＰＤＮ接続を切断する要求メッセージを送信するよう構成される。ここで、要求メッセージは、第２ＰＤＮ接続を確立するようＵＥに指示するために使用されるパラメータを伝達する。
【０１７５】
図８、図９Ａ及び図９Ｂの実施形態における前述のユーザプレーンゲートウェイ更新方法の種々の変形方法及び特定の例も、本実施形態のユーザプレーンゲートウェイ更新装置に適用可能である。ユーザプレーンゲートウェイ更新方法の前述の詳細な説明に従い、当業者は、本実施形態のユーザプレーンゲートウェイ更新装置の実装方法を明らかに知ることができる。したがって、本願明細書の簡潔さのために、詳細はここに記載されない。
【０１７６】
図１７を参照すると、図１７は、本発明の一実施形態による移動性管理エンティティの第１概略構造図である。図１７に示される移動性管理エンティティの特定の実装及びその中で使用される用語の意味については、前述の実施形態及び図１乃至図１１Ｂの関連する記載が参照できる。移動性管理エンティティは、上述の移動性管理エンティティであって良く、移動性管理エンティティは、受信機１７０１、プロセッサ１７０２、及びメモリ１７０３を含む。
【０１７７】
受信機１７０１は、第１パケットデータネットワークＰＤＮ接続が確立されることを示すために使用され及び制御プレーンゲートウェイＧＷ−Ｃにより送信される第１メッセージを受信するよう構成される。ここで、第１ＰＤＮ接続は、ユーザ機器ＵＥと第１ユーザプレーンゲートウェイＧＷ−Ｕとの間のＰＤＮ接続であり、第１メッセージは、第１ＧＷ−Ｕに対応するＴＡ識別子リストを伝達する。
【０１７８】
プロセッサ１７０２は、ＵＥの位置する追跡領域ＴＡのＴＡ識別子がＴＡ識別子リストの中に無いことを決定するよう構成され、ＰＤＮ接続を再確立する要求メッセージをＵＥへ送信するよう構成される。ここで、要求メッセージは、第２ＰＤＮ接続を開始するようＵＥをトリガするために使用され、第２ＰＤＮ接続は、ＵＥと第２ＧＷ−Ｕとの間のＰＤＮ接続である。
【０１７９】
任意で、プロセッサ１７０２は、第１ＰＤＮ接続を切断する要求メッセージを送信するよう構成される。ここで、要求メッセージは、第２ＰＤＮ接続を確立するようＵＥに指示するために使用されるパラメータを伝達する。
【０１８０】
図１７では、バスアーキテクチャ（バス１７００を用いて表される）は任意の数の相互接続バス及びブリッジを含んで良く、バス１７００は、プロセッサ１７０２により表される１又は複数のプロセッサの回路及びメモリ１７０３により表されるメモリの回路を一緒に接続する。バス１７００は、例えば、周辺装置又は電圧安定器を、電力管理回路のような種々の他の回路に更に接続して良い。これらは従来知られており、したがって、本願明細書にこれ以上更に記載されない。バスインタフェース１７０４は、バス１７００と受信機１７０１との間のインタフェースを提供する。受信機１７０１は、伝送媒体上で種々の他の装置と通信するよう構成されるユニットを提供する通信機であって良い。
【０１８１】
プロセッサ１７０２は、バス１７００の管理及び汎用処理を担う。メモリ１７０３は、プロセッサ１７０２が演算を実行するときに使用されるデータを格納するよう構成されて良い。
【０１８２】
図８、図９Ａ及び図９Ｂの実施形態における前述のユーザプレーンゲートウェイ更新方法の種々の変形方法及び特定の例も、本実施形態の移動性管理エンティティに適用可能である。ユーザプレーンゲートウェイ更新方法の前述の詳細な説明に従い、当業者は、本実施形態の移動性管理エンティティの実装方法を明らかに知ることができる。したがって、本願明細書の簡潔さのために、詳細はここに記載されない。
【０１８３】
図１８を参照すると、図１８は、本発明の一実施形態によるユーザプレーンゲートウェイ更新装置の第４概略モジュール図である。図１８に示されるユーザプレーンゲートウェイ更新装置の特定の実装及びその中で使用される用語の意味については、前述の実施形態及び図１乃至図１１Ｂの関連する記載が参照できる。装置は、上述の移動性管理エンティティであって良く、装置は、記憶ユニット１８０１、決定ユニット１８０２、要求ユニット１８０３を含む。
【０１８４】
記憶ユニット１８０１は、各ＧＷ−Ｕ識別子と追跡領域ＴＡ識別子との間の対応を予め格納するよう構成される。
【０１８５】
決定ユニット１８０２は、ユーザ機器ＵＥの位置する追跡領域ＴＡが変化した後に、ＵＥの位置する元のＴＡが第１ＴＡ識別子に対応することを決定し、ＵＥの位置する新しいＴＡが第２ＴＡ識別子に対応することを決定し、第１ＰＤＮ接続はＵＥと第１ＧＷ−Ｕとの間に確立され、対応に従い、第１ＴＡ識別子のあるＴＡリストが第１ＧＷ−Ｕ識別子に対応することを決定し、第２ＴＡ識別子のあるＴＡリストが第２ＧＷ−Ｕ識別子に対応することを決定するよう構成される。
【０１８６】
要求ユニット１８０３は、第１ＧＷ−Ｕ識別子に対応する第１ＧＷ−Ｕが第２ＧＷ−Ｕ識別子に対応する第２ＧＷ−Ｕと異なるとき、ＰＤＮ接続を再確立する要求メッセージをＵＥへ送信するよう構成される。ここで、要求メッセージは、第２ＰＤＮ接続を開始するようＵＥをトリガするために使用され、第２ＰＤＮ接続は、ＵＥと第２ＧＷ−Ｕとの間のＰＤＮ接続である。
【０１８７】
任意的に、要求ユニット１８０３は、
ＵＥへ、第１ＰＤＮ接続を切断する要求メッセージを送信するよう構成される。ここで、要求メッセージは、第２ＰＤＮ接続を確立するようＵＥに指示するために使用されるパラメータを伝達する。
【０１８８】
図１０、図１１Ａ及び図１１Ｂの実施形態における前述のユーザプレーンゲートウェイ更新方法の種々の変形方法及び特定の例も、本実施形態のユーザプレーンゲートウェイ更新装置に適用可能である。ユーザプレーンゲートウェイ更新方法の前述の詳細な説明に従い、当業者は、本実施形態のユーザプレーンゲートウェイ更新装置の実装方法を明らかに知ることができる。したがって、本願明細書の簡潔さのために、詳細はここに記載されない。
【０１８９】
図１９を参照すると、図１９は、本発明の一実施形態による移動性管理エンティティの第２概略構造図である。図１９に示される移動性管理エンティティの特定の実装及びその中で使用される用語の意味については、前述の実施形態及び図１乃至図１１Ｂの関連する記載が参照できる。移動性管理エンティティは、上述の移動性管理エンティティであって良く、移動性管理エンティティは、プロセッサ１９０１、及びメモリ１９０２を含む。
【０１９０】
メモリ１９０２は、各ＧＷ−Ｕ識別子と追跡領域ＴＡ識別子との間の対応を予め格納するよう構成される。
【０１９１】
プロセッサ１９０１は、ユーザ機器ＵＥの位置する追跡領域ＴＡが変化した後に、ＵＥの位置する元のＴＡが第１ＴＡ識別子に対応していることを決定し、ＵＥの位置する新しいＴＡが第２ＴＡ識別子に対応していることを決定し、第１ＰＤＮ接続はＵＥと第１ＧＷ−Ｕとの間に確立され、対応に従い、第１ＴＡ識別子のあるＴＡリストが第１ＧＷ−Ｕ識別子に対応していることを決定し、第２ＴＡ識別子のあるＴＡリストが第２ＧＷ−Ｕ識別子に対応していることを決定する、よう構成され、第１ＧＷ−Ｕ識別子に対応する第１ＧＷ−Ｕが第２ＧＷ−Ｕ識別子に対応する第２ＧＷ−Ｕと異なるとき、ＵＥへ、ＰＤＮ接続を再確立する要求メッセージを送信するよう構成され、要求メッセージは第２ＰＤＮ接続を開始するようＵＥをトリガするために使用され、第２ＰＤＮ接続はＵＥと第２ＧＷ−Ｕとの間のＰＤＮ接続である。
【０１９２】
任意で、プロセッサ１９０１は、第１ＰＤＮ接続を切断する要求メッセージを送信するよう構成される。ここで、要求メッセージは、第２ＰＤＮ接続を確立するようＵＥに指示するために使用されるパラメータを伝達する。
【０１９３】
図１９では、バスアーキテクチャ（バス１９００を用いて表される）は任意の数の相互接続バス及びブリッジを含んで良く、バス１９００は、プロセッサ１９０１により表される１又は複数のプロセッサの回路及びメモリ１９０２により表されるメモリの回路を一緒に接続する。バス１９００は、例えば、周辺装置又は電圧安定器を、電力管理回路のような種々の他の回路に更に接続して良い。これらは従来知られており、したがって、本願明細書にこれ以上更に記載されない。
【０１９４】
プロセッサ１９０１は、バス１９００の管理及び汎用処理を担う。メモリ１９０２は、プロセッサ１９０１が演算を実行するときに使用されるデータを格納するよう構成されて良い。
【０１９５】
図１０、図１１Ａ及び図１１Ｂの実施形態における前述のユーザプレーンゲートウェイ更新方法の種々の変形方法及び特定の例も、本実施形態の移動性管理エンティティに適用可能である。ユーザプレーンゲートウェイ更新方法の前述の詳細な説明に従い、当業者は、本実施形態の移動性管理エンティティの実装方法を明らかに知ることができる。したがって、本願明細書の簡潔さのために、詳細はここに記載されない。
【０１９６】
便宜上及び簡便な説明のために、前述の機能ユニットの分割のみが説明のための例として用いられたことが、当業者に明らかである。実際の用途では、前述の機能は、異なる機能ユニットに割り当てられ及び要件に従って実装されて良い。つまり、装置の内部構造は、前述の機能の全部又は一部を実施するために異なる機能ユニットに分割されて良い。前述のシステム、装置及びユニットの詳細な動作過程では、前述の方法の実施形態の対応する処理が参照され、詳細事項はここに記載されない。
【０１９７】
本願により提供される幾つかの実施形態では、開示のシステム、機器、及び方法は他の方法で実装されて良いことが理解されるべきである。例えば、記載した装置の実施形態は単なる一例である。例えば、ユニット又はユニットの分割は、単なる論理的機能の区分であり、実際の実装では他の区分であっても良い。例えば、複数のユニット又はコンポーネントは、別のシステムに結合又は統合されて良い。或いは、幾つかの機能は無視されるか又は実行されなくて良い。さらに、表示した又は議論した相互結合又は直接結合又は通信接続は、幾つかのインタフェースを使用することにより実装されて良い。装置又はユニット間の間接結合又は通信接続は、電子的、機械的又は他の形式で実装されて良い。
【０１９８】
別個の部分として記載されたユニットは、物理的に別個であって良く又はそうでなくて良い。また、ユニットとして表示された部分は、物理的なユニットであって良く又はそうでなくて良く、１カ所に置かれて良く或いは複数のネットワークユニットに分散されて良い。一部又は全部のユニットは、実施形態のソリューションの目的を達成するために実際の要件に応じて選択されて良い。
【０１９９】
さらに、本願の実施形態における機能ユニットは、１つの処理ユニットに統合されても良く、或いは各ユニットが物理的に単独で存在しても良く、或いは２以上のユニットが１つのユニットに統合されて良い。統合ユニットは、ハードウェアの形式で実装されて良く、ソフトウェア機能ユニットの形式で実装されて良い。
【０２００】
統合ユニットがソフトウェア機能ユニットの形式で実装され、独立した製品として販売され又は使用されるとき、統合ユニットは、コンピュータ可読記憶媒体に格納されて良い。このような理解に基づき、本願の基本的技術的ソリューション、又は従来技術に貢献する部分、又は全部又は一部の技術的ソリューションは、ソフトウェア製品の形式で実施されて良い。コンピュータソフトウェア製品は、記憶媒体に格納され、コンピュータ装置（パーソナルコンピュータ、サーバ、ネットワーク装置、等であって良い）又はプロセッサ（processor）に、本願の実施形態に記載の方法のステップの全部又は一部を実行するよう指示する複数の指示を有する。前述の記憶媒体は、ＵＳＢフラッシュディスク、ポータブルハードディスク、ＲＯＭ（Read−Only  Memory、読み出し専用メモリ）、ＲＡＭ（Random  Access  Memory、ランダムアクセスメモリ）、磁気ディスク又は光ディスクのような、プログラムコードを格納可能な任意の媒体を含む。
【０２０１】
前述の実施形態は、単に、本願の技術的解決策を説明するために用いられる。前述の実施形態は、単に、本発明の方法及び核となる思想の理解を助けることを意図しており、本発明に対する限定として考えられてはならない。本発明で開示された技術範囲内にある、当業者により直ちに考案される変形又は置換は、本発明の保護範囲に包含される。
【図１】
0006643458.tif 000002
【図２】
0006643458.tif 000003
【図３】
0006643458.tif 000004
【図４】
0006643458.tif 000005
【図５】
0006643458.tif 000006
【図６】
0006643458.tif 000007
【図７Ａ】
0006643458.tif 000008
【図７Ｂ】
0006643458.tif 000009
【図８】
0006643458.tif 000010
【図９Ａ】
0006643458.tif 000011
【図９Ｂ】
0006643458.tif 000012
【図１０】
0006643458.tif 000013
【図１１Ａ】
0006643458.tif 000014
【図１１Ｂ】
0006643458.tif 000015
【図１２】
0006643458.tif 000016
【図１３】
0006643458.tif 000017
【図１４】
0006643458.tif 000018
【図１５】
0006643458.tif 000019
【図１６】
0006643458.tif 000020
【図１７】
0006643458.tif 000021
【図１８】
0006643458.tif 000022
【図１９】
0006643458.tif 000023